(57)【特許請求の範囲】
【請求項１】
下方開放状の足口（１５）を左右対称に形成した伸縮性を有する前身頃（１１）と、伸縮性を有する後身頃（１２）と、前身頃（１１）の下端の内股前部（２２）と後身頃（１２）の下端の内股後部（２３）との間に配設されて股間部を覆うマチ部（１３）とを備えており、前身頃（１１）の左右端縁（１６），（１６）と後身頃（１２）の左右端縁（１９），（１９）とは縫合され、マチ部（１３）の前端部（１３ａ）は前身頃（１１）の下端の内股前部（２２）に縫合され、マチ部（１３）の凸円弧状に形成した後端部（１３ｂ）は後身頃（１２）の下端の凹円弧状に形成した内股後部（２３）に縫合され、足口（１５）まわりには伸縮性を有する帯状材料または紐状材料（２８）が設けられているショーツ、水着等の衣料において、
前記マチ部（１３）の凸円弧状に形成した前記後端部（１３ｂ）の曲率は前記後身頃（１２）の下端の凹円弧状に形成した前記内股後部（２３）の曲率よりも大きくし、これら後端部（１３ｂ）と内股後部（２３）とを縫合してヒップ下部の膨らみ体形に合うよう立体化するダーツ（２６）を設けていることを特徴とする、ショーツ、水着等の衣料。
【請求項２】
前記前身頃（１１）の左右端縁（１６），（１６）の各下端部は足口（１５）内周のヒップ裾ライン（１５ａ）の下端部と交差させ、かつ、前記左右端縁（１６），（１６）の各上下方向中間部から下端部までの間の部分を外方へ凸形の曲縁（１６ａ）でつなぐ形に裁断し、該曲縁（１６ａ）の上下方向中間部より下方部（１６ｂ）は直線または曲線状に形成し、前記後身頃（１２）はこれの左右端縁（１９），（１９）の各上下方向中間部から下端部までの間の下方部分（１９ａ）を下方拡がりの形に裁断し、前記後身頃（１２）の左右端縁（１９），（１９）と前記前身頃（１１）の左右端縁（１６），（１６）との縫合線（Ｌ）は後部ウエスト部（２０），（２１）からヒップの頂部（Ｔ）より外側に迂回してヒップ裾ライン（１５ａ）に至るように形成している、請求項１記載のショーツ、水着等の衣料。
【発明の詳細な説明】
【技術分野】
【０００１】
本発明はショーツ、水着、レオタード、ブリーフ等の衣料に係り、より詳しくは特に歩行時や屈み姿勢時等においてヒップ裾ラインがずり上がることなく快適な履き心地のショーツ、水着等の衣料に関する。
【背景技術】
【０００２】
ヒップ裾ラインのずり上がり防止対策を講じたショーツ、水着等の衣料として、本出願人により図５〜図７に示すようなものを提案した（特許文献１参照。）。このショーツは、図５、図６のように伸縮性を有する前身頃３１の左右端縁３２，３２の各下端部を外方へ凸形の曲縁３２ａに形成するとともに、後身頃３３の左右端縁３４，３４の各上下方向中間部から下端部までの間の下方部分３４ａを下方拡がりの形に裁断して両者３２ａ，３４ａを縫合する。これにより、未着用状態でヒップ部裾まわりの体形に近い立体的な適度の膨らみを得ることができ、このため着用時には図７のようにヒップ裾ライン３５が臀溝部に深くフィットしてヒップ下部を深く包み込むことができることになり、足口３６まわりに縫い付けてあるゴムテープ３７の働きと相俟って、人が直立姿勢から椅子に座る姿勢や腰を曲げたり、屈む姿勢等に変えたりしたときに生じるヒップ裾ライン３５の図８におけるＣ位置からＤ位置へのずり上がりを防止するようにしている。
また、図７に示すように、後身頃３３の左右端縁３４，３４と前身頃３１の左右端縁３２，３２との縫合線Ｌが、着用時にヒップの頂部Ｔより外側に迂回してヒップ裾ライン３５に至るように形成する。これにより、直立姿勢時にショーツ等のヒップ下部、臀溝部に相当する個所に弛み皺やだぶつきが発生することが殆ど無くなり、美しいヒップ裾ラインが出るようにしている。【０００３】
【特許文献１】特許第３３８９５７３号公報
【発明の開示】
【発明が解決しようとする課題】
【０００４】
しかしながら、上記ショーツ、水着等の衣料では、ヒップ裾ラインの一定のずり上がり防止効果があるものの、ずり上がり防止状態の持続性、安定性に欠けることを知見した。その原因は二つあると考えられる。その一つは、ずり上がり防止のために足口３６まわりに縫い付けてあるポリウレタン弾性糸入りのゴムテープ３７の力が経時的に徐々に弱まることである。もう一つの原因は、前身頃３１の左右端縁３２，３２の各下端部を外方へ凸形の曲縁３２ａに形成するとともに、後身頃３３の左右端縁３４，３４の各上下方向中間部から下端部までの間の下方部分３４ａを下方拡がり形状に裁断して両者３２ａ，３４ａを縫合することにより得られる立体効果の及ぶ範囲（図５中、Ａ１）だけでは、身体の動きに伴うヒップの激しい形状変化に対応するヒップ下部まわりのパターン上でのクッション効果が弱いことである。【０００５】
すなわち、足口３６まわりに縫い付けてあるポリウレタン弾性糸入りのゴムテープ３７は時間経過とともに身体の屈伸後のヒップ裾ライン３５のずり上がり防止効果が弱まる。上記ショーツ等のヒップまわりパターンの立体化するダーツ効果でその部分の生地が引っ張られるとともにゴムテープ３７も引っ張られることで、ゴムテープ３７の引き戻す力（テンション）が働く。しかし、このゴムテープ３７の引き戻す力は、身体が屈伸される場合のようにヒップの形状変化が激しいと生地がヒップの頂部Ｔで強く引っ張られる力が働くに伴い伸びるゴムテープ３７はそれ自体が伸びた状態が長く続くことにより徐々に弱まって行く。また、着用後のゴムテープ３７は体温による温度上昇によっても引き戻す力が弱くなる。こうしたことがずり上がり防止状態の持続性を低下させる原因となっている。
また、上記ショーツ等の衣類では、ヒップ下部のＡ１部分の生地が延びるとともにゴムテープ３７が伸びてテンションをかけるようになっているが、図６のようにマチ部３８の凸円弧状に形成した後端部３８ｂの曲率と後身頃３３の下端の凹円弧状に形成した内股後部３９の曲率とは同一もしくは略同一にしたうえでこれら後端部３８ｂと内股後部３９とを縫合しているため、ヒップ裾ライン３５，３５の、前記後端部３８ｂと内股後部３９との縫合線と交差する交差部周辺での立体感、ヒップ下部への密着性に欠けており、このためゴムテープ３７のテンションが緩みやすい傾向にあり、ヒップ裾ライン３５のずり上がり防止状態の持続性、安定性を低下させている。【０００６】
上記ショーツ等の衣類では、身体が屈んだときにヒップの形状変化を吸収するには、ストレッチ生地の使用が欠かせないが、ストレッチ生地を用いてもヒップ下部には生地をヒップ中央部に寄せる力、即ちヒップ下部の生地が伸びきって突っ張るようにずれ上がる力が働くが、その突っ張る力を緩和するクッション効果が弱いため、ずり上がり防止状態の持続性、安定性に欠ける。【０００７】
本発明は、このような問題を解決するためになされたものであり、その目的とするところは、上記のようなショーツ、水着等の衣料においてマチ部の後端部と後身頃の内股後部との縫合部にダーツを設けることによりずりヒップ裾ラインの上がり防止状態の持続性、安定性の向上を図ることのできるショーツ、水着等の衣料を提供することにある。
【課題を解決するための手段】
【０００８】
本発明は、発明の内容の理解を助けるために図１〜４に付した符号を参照して説明すると、下方開放状の足口（１５）を左右対称に形成した伸縮性を有する前身頃（１１）と、伸縮性を有する後身頃（１２）と、前身頃（１１）の下端の内股前部（２２）と後身頃（１２）の下端の内股後部（２３）との間に配設されて股間部を覆うマチ部（１３）とを備えており、前身頃（１１）の左右端縁（１６），（１６）と後身頃（１２）の左右端縁（１９），（１９）とは縫合され、マチ部（１３）の前端部（１３ａ）は前身頃（１１）の下端の内股前部（２２）に縫合され、マチ部（１３）の凸円弧状に形成した後端部（１３ｂ）は後身頃（１２）の下端の凹円弧状に形成した内股後部（２３）に縫合され、足口（１５）まわりには伸縮性を有する帯状材料または紐状材料（２８）が設けられているショーツ、水着等の衣料において、前記マチ部（１３）の凸円弧状に形成した前記後端部（１３ｂ）の曲率は前記後身頃（１２）の下端の凹円弧状に形成した前記内股後部（２３）の曲率よりも大きくし、これら後端部（１３ｂ）と内股後部（２３）とを縫合してヒップ下部の膨らみ体形に合うよう立体化するダーツ（２６）を設けていることに特徴を有するものである。【０００９】
この場合において、前記前身頃（１１）の左右端縁（１６），（１６）の各下端部は足口（１５）内周のヒップ裾ライン（１５ａ）の下端部と交差させ、かつ、前記左右端縁（１６），（１６）の各上下方向中間部から下端部までの間の部分を外方へ凸形の曲縁（１６ａ）でつなぐ形に裁断し、該曲縁（１６ａ）の上下方向中間部より下方部（１６ｂ）は直線または曲線状に形成し、前記後身頃（１２）はこれの左右端縁（１９），（１９）の各上下方向中間部から下端部までの間の下方部分（１９ａ）を下方拡がりの形に裁断し、前記後身頃（１２）の左右端縁（１９），（１９）と前記前身頃（１１）の左右端縁（１６），（１６）との縫合線（Ｌ）は後部ウエスト部（２０），（２１）からヒップの頂部（Ｔ）より外側に迂回してヒップ裾ライン（１５ａ）に至るように形成することができる。
【発明の効果】
【００１０】
上記構成のショーツ、水着等の衣料によれば、マチ部の凸円弧状に形成した後端部の曲率は後身頃の下端の凹円弧状に形成した内股後部の曲率よりも大きくし、これら後端部と内股後部とを縫合してヒップ下部の膨らみ体形に合うよう立体化するダーツを設けている。したがって、前述した図５〜図７に示す従来のショーツで得られる立体効果の及ぶ範囲Ａ１に、更にヒップ裾ラインの、マチ部後端部と後身頃の内股後部との縫合線と交差する交差部周辺Ｃ１（図１参照）までを加えたＢ１（図１参照）の広範囲（Ｂ１＝Ａ１＋Ｃ１）、すなわちヒップ下部の膨らみ体形に十分に近づける広範囲に立体化でき、しかもそのＢ１部分だけを足口まわりの伸縮性を有する帯状材料または紐状材料のテンションが効果的に働くように小さめに設計することが可能になった。これにより伸縮性を有する帯状材料または紐状材料の緩みを考慮しても十分効果的なテンションを確保することができ、ヒップ裾ラインのずれ上がり防止状態を保ち続けることができるに至った。【００１１】
また、身体が屈んだときにヒップ下部では生地がヒップ中央部に寄せよう伸びきって突っ張るように生地のずれ上がり力が働くが、この突っ張る力をマチ部の後端部と後身頃の内股後部との縫合部に膨らむような形で設けたダーツにより吸収緩和することができ、クッション効果がより高くなり、ヒップ裾ラインのずり上がり防止状態の持続性、安定性を向上できる。
【図面の簡単な説明】
【００１２】
【図１】本発明の一実施例を示すショーツの正面図である。
【図２】同ショーツの前身頃、後身頃、及びマチ部の展開平面図である。
【図３】ショーツを着用状態で示す背面図である。
【図４】本発明の他の実施例を示すショーツの前身頃、後身頃、及びマチ部の展開平面図である。
【図５】従来例のショーツの正面図である。
【図６】図５のショーツの前身頃、後身頃、及びマチ部の展開平面図である。
【図７】図５のショーツの背面図である。
【図８】ショーツを着用して椅子に座った姿勢時の状態を示す側面図である。
【符号の説明】
【００１３】
１１  前身頃
１２  後身頃
１３  マチ部
１３ａ  マチ部の前端部
１３ｂ  マチ部の後端部
１５  足口
１５ａ，１５ａ  ヒップ裾ライン
１６，１６  前身頃の左右端縁
１６ａ  曲縁
１６ｂ  下方部
１９，１９  後身頃の左右端縁
１９ａ  下方部分
２０，２１  後部ウエスト部
２２  内股前部
２３  内股後部
２６  ダーツ
２８  テープやレース等の帯状材料または紐状材料
Ｔ  ヒップの頂部
Ｌ  前身頃と後身頃と縫合線
【発明を実施するための最良の形態】
【００１４】
図１は本発明の一実施例を示すショーツの正面図、図２は同ショーツの前身頃、後身頃、及びマチ部の展開平面図、図３はショーツを着用状態で示す背面図、図４は本発明の他の実施例を示すショーツの前身頃、後身頃、及びマチ部の展開平面図である。【００１５】
図１〜３において、本発明の一実施例を示すショーツ１０は、下腹部を覆う前身頃１１と、臀部を覆う後身頃１２と、前身頃１１の下端の内股前部と後身頃１２の下端の内股後部との間に配設されて股間部を覆うマチ部１３とを主要構成部材としてなる。前後身頃１１，１２、及びマチ部１４はストレッチ生地からなる。【００１６】
図５に示すように、前身頃１１は脇線１４，１４間の幅Ｗよりも広い幅寸法に裁断してあり、その下端に下方開放状の足口１５，１５を左右対称に切り込み形成する。図示例ではその切り込みを深く入れてハイレグ用の足口１５を下方開放状に形成している。足口１５の内周上のほぼ後ろ半分のヒップ裾ライン１５ａは前中心線Ｓとほぼ平行に形成している。前身頃１１の左右端縁１６，１６の各下端部は左右の足口１５，１５の各ヒップ裾ライン１５ａ，１５ａの下端部と交差する形に形成している。【００１７】
前身頃１１の左右端縁１６，１６の各上下方向中間部から各下端部までの間を外方凸形の円弧状の曲縁１６ａに形成する。曲縁１６ａの曲線は、図８のように椅子に座った時などに描くヒップ下部の曲線Ｒに可及的に近づける形状にするためである。ただし、その曲縁１６ａ全体のアールがきついと、直立姿勢時に当該箇所に弛みじわが発生しやすい。これを解消するため、その曲縁１６ａの上下方向中間部より下方部（臀溝部の直上部を覆う部分）１６ｂは直線または緩やかな曲線状に形成することが望ましい。【００１８】
一方、後身頃１２はこれの左右端縁１９，１９がそれぞれ下方に至るに従い漸次拡がる斜線状になる形に裁断している。その際、左右端縁１９，１９は、必ずしも、そのウエスト部２０から下端部までの上下方向全長にわたって真っ直ぐな斜線状に形成する必要はなく、少なくともその上下方向中間部から下端部までの間の下方部分１９ａを、下方拡がりの形に裁断しておけばよい。例えば、図２の一点鎖線で示すＥとＥ'のような曲線にしたり、同図の二点鎖線で示すＦとＦ'のような曲線にしたりすることは任意である。
左右端縁１９，１９のウエスト部２５から上下方向中間部までの間は斜線、曲線など任意に描くことができ、例えば、図２に二点鎖線Ｑ１に示すごとき円弧縁に形成してもよく、この場合はそれに対応して前身頃１１の左右端縁１６，１６のウエスト部２１から上下方向中間部までの間は二点鎖線Ｑ２のように裁断する。【００１９】
このように裁断された前身頃１１と後身頃１２とは左右端縁１６，１６、１９，１９どうしを縫い合わせて筒状に形成し、前身頃１１の下端中央に凹円弧状に形成した内股前部２２と、後身頃１２の下端中央に同じく凹円弧状に形成した内股後部２３とはマチ部１３でつなぐ。その際、マチ部１３の凸円弧状に形成した前端部１３ａは前身頃１１の内股前部２２に縫合される。マチ部１３の凸円弧状に形成した後端部１３ｂは後身頃１２の内股後部２３に縫合される。前身頃１１の足口１５の下方開放部分は、後身頃１２の下方部分１９ａの下端と内股後部２３とをつなぐ傾斜下端縁２４と、マチ部１３の左右の端縁２５とでエンドレス状につながれる。【００２０】
ここで注目すべきは、上記マチ部１３の凸円弧状に形成した後端部１３ｂの曲率は後身頃１２の下端の凹円弧状に形成した内股後部２３の曲率よりも大きく裁断し、これら後端部１３ｂと内股後部２３とを縫合してヒップ下部の膨らみ体形に合うよう立体化するダーツ２６を設ける点である。ダーツ２６を設けることにより後端部１３ｂと内股後部２３との縫合線Ｍの左右方向中央付近が最も高く外方へやや盛り上がるような形の膨らみが縫合線Ｍに沿ってできる。
このようにダーツ２６を設けると、図５〜図７に示す従来のショーツ（前身頃３１の左右端縁３２，３２の各下端部の曲縁３２ａと、後身頃３３の左右端縁３４，３４の各下方拡がり形状の下方部分３４ａとを縫合するとともに、同一曲率のマチ部３８の後端部３８ｂと後身頃３３の内股後部３９とを縫合しているもの）により得られる立体効果の及ぶ範囲Ａ１に、更に図１に示すごとくヒップ裾ライン１５ａの縫合線Ｍと交差する交差部周辺Ｃ１までを加えたＢ１の広範囲に立体化でき、ヒップ下部の膨らみ体形に十分に近づける広範囲に立体化できる。【００２１】
前身頃１１の左右端縁１６，１６と後身頃１２の左右端縁１９，１９との各縫合線Ｌは、図３に示すように、着用時に後部ウエスト部２１，２０の外側寄り箇所からヒップの頂部Ｔの外側に迂回させてヒップ裾ライン１５ａに至るように形成する。そのためには、図２のように、後身頃１２における左右端縁１９，１９の下端部間の幅Ｐを前身頃１１における左右端縁１６，１６の下端部間の幅Ｈに対して０．６倍以上で４倍以下に設定する。図２では、ＰとＨの幅をほぼ同じ程度に設定している。【００２２】
前身頃１１及び後身頃１２のウエスト部２１，２０にはストレッチレース２７を縫い付ける。
足口１５まわりには伸縮性を有するテープやレース等の帯状材料または紐状材料２８を縫い付けて設けている。その帯状材料または紐状材料２８としては、緊迫力が弱いとヒップ裾ラインの臀溝部へのフィット力が弱く、ヒップ裾ライン１５ａのずり上がり防止の効果が得にくくなり、緊迫力が強過ぎるとヒップ裾ライン１５ａのずり上がり防止効果は高まっても着用感が悪くなるため、適度の緊迫力を必要とする。ここに、緊迫力とは、試験方法ＪＩＳ−Ｌ−１０１８を準用し、定速伸長形引張試験機を使用して、たとえば、測定間隔１０ｃｍの試験片を１８ｃｍまで伸ばして１５ｃｍまで縮めたときの力をいう。
上記帯状材料または紐状材料２８の、設定伸度８０％時の緊迫力試験で５０％時の緊迫力の好ましい範囲は、０．３〜７Ｎ（ニュートン）である。より好ましくは１．５Ｎである。緊迫力１．５Ｎの帯状材料または紐状材料２８としては、例えば、ポリウレタン弾性糸１４０デニール以上の太さの糸を８本以上もしくはポリウレタン弾性糸２８０デニール以上の太さの糸を５本以上使用して形成されたものである。【００２３】
上記のように縫製されたショーツ１０は、前身頃１１の左右端縁１６，１６の各下端部を外方へ凸形の曲縁１６ａに形成するとともに、後身頃１２の左右端縁１９，１９の各上下方向中間部から下端部までの間の下方部分１９ａを下方拡がりの形に裁断して両者１６ａ，１９ａを縫合しているので、ヒップ部裾まわりにヒップ下部及び臀溝部の体形に近い立体的な適度の膨らみができる。したがって、ヒップ裾ライン１５ａが図３に示すごとくヒップの臀溝部２９に深くフィットしてヒップの下部を深く十分に包み込むことができることになり、椅子に座ったり、激しく腰を曲げるなどして動いたりしてもヒップ裾ライン１５ａがずり上がるのをよく防止できる。【００２４】
とくに、マチ部１３の凸円弧状に形成した後端部１３ｂの曲率は後身頃１２の下端の凹円弧状に形成した内股後部２３の曲率よりも大きくし、これら後端部１３ｂと内股後部２３とを縫合してヒップ下部の膨らみ体形に合うよう立体化するダーツ２６を設けているので、前述した通り、図５〜図６に示す従来のショーツで得られる立体効果の及ぶ範囲Ａ１に、更に図１に示すごとくヒップ裾ライン１５ａの縫合線Ｍと交差する交差部周辺Ｃ１までを加えたＢ１の広範囲、即ちヒップ下部の膨らみ体形に十分に近づける広範囲に立体化でき、しかもそのＢ１部分だけを帯状材料または紐状材料２８のテンションが効果的に働くように小さめに設計することが可能になった。これにより帯状材料または紐状材料２８の緩みを考慮しても十分効果的なテンションを確保することができ、ヒップ裾ライン１５ａのずれ上がり防止状態の持続性、安定性を向上できる。【００２５】
また、身体が屈んだときにヒップ下部には生地をヒップ中央部に寄せる（生地が伸びきり、突っ張るように生地がずれ上がる）力が働くが、この突っ張る力をマチ部１３の後端部１３ｂと後身頃１２の内股後部２３との縫合部に膨らむような形で設けたダーツ２６により吸収緩和することができ、クッション効果が高くなり、ずり上がり防止状態の持続性、安定性に優れる。【００２６】
前身頃１１と後身頃１２との縫合線Ｌはヒップの頂部Ｔを避けてその外側に迂回させてある。したがって、ヒップ下部を深く包み込むことができるようにヒップ裾線を下方に延出させるパターンを採用しても、前身頃１１と後身頃１２の縫合線Ｌがヒップ頂部Ｔを通るようにしたものの場合のように直立姿勢時にヒップ下部、臀溝部に弛み皺やだぶつきが生じることが殆ど無くて、ヒップを広く深く包み込むことができるものとなる。【００２７】
また、前身頃１１と後身頃１２との縫合線Ｌはヒップの頂部Ｔを避けて外側に迂回させることにより、後身頃１２のヒップ頂部Ｔの生地自体がもつ伸縮性を確保することができ、この伸縮性によりヒップ頂部Ｔの激しい動きにもよく対応できるため、ずり上がり防止のためのダーツの長さや大きさは、後身頃３０の縫合線Ｌをヒップ頂部Ｔに通過させる場合に必要なダーツのそれよりも少なくて足り、その結果、直立姿勢時にヒップ下部、臀溝部に弛み皺やだぶつきが発生することが殆ど無くなり、美しいヒップ裾ライン１５ａを出すことができる。また座り姿勢でも縫合線Ｌによる違和感がほとんど無くなり、またタイトな薄い外衣を着用したときにもその縫合線Ｌに沿ったラインがヒップの最も高い頂部Ｔを通過する場合よりも外衣に目立ちにくくなる。【００２８】
図４は本発明の他の実施例のショーツの前身頃、後身頃、及びマチ部の展開平面図である。この実施例では、前身頃１１の曲縁１６ａ全体が上記実施例の曲縁１６ａ全体の曲線よりも比較的緩やかな曲線で形成されている点、上記実施例の足口１５のヒップ裾ライン１５ａが前中心線Ｓとほぼ平行に形成されているのに対し、この実施例の前身頃１１の足口１５のヒップ裾ライン１５ａは曲縁１６ａとほぼ対称に形成され、前中心線Ｓとヒップ裾ライン１５ａの延長線とが成す角度βは４０゜以下、好ましくは３５゜に設定してある。また、後身頃１２の左右端縁１９，１９の下端部間の幅Ｐを前身頃１１の左右端縁１６，１６の下端部間の幅Ｈに対して約０．６５倍程度に設定してある。そのほか後身頃１２の形態や、マチ部１３の後端部１３ｂと後身頃１２の内股後部２３との縫合部にダーツ２６を設けること、前後身頃１１，１２の縫合線Ｌを着用時に後部ウエストの外側寄り箇所からヒップの頂部Ｔを避けてその外側に迂回させることなどについては上記実施例の場合と全く同様である。【００２９】
この実施例のショーツにおいても、ヒップ裾ライン１５ａのずり上がりをよく防止できるとともに、ずり上がり防止状態の持続性、安定性の向上を図り得るという効果は上記実施例の場合と同様に得ることができる。【００３０】
本発明の対象とする衣料は、ショーツに限られず、水着やレオタードなどにも同様に適用でき、また男性用のブリーフにも同様に適用できる。
【図１】
0004416793.tif 000002
【図２】
0004416793.tif 000003
【図３】
0004416793.tif 000004
【図４】
0004416793.tif 000005
【図５】
0004416793.tif 000006
【図６】
0004416793.tif 000007
【図７】
0004416793.tif 000008
【図８】
0004416793.tif 000009